(57)【要約】【課題】ユーザ固有の検索項目を用いて必要とするデータを容易に検索可能とすることにある。【解決手段】情報検索装置１０が、データと当該データに関する年代情報とが互いに関連付けられて記憶された楽曲情報データベース１５と、個人履歴情報とを対応付けるデータテーブルが記憶された生年月日換算データベース１４と、個人履歴情報の入力を受け付ける入力部１６と、入力された個人履歴情報に対応する年代情報を指示する指示手段と、指示された年代情報に対応するデータを楽曲情報データベース１５に記憶された年代情報に基づいて、楽曲情報データベース１５から検索する検索手段と、を備える。【選択図】図１
2007072955.tif 000002
【特許請求の範囲】
【請求項１】
データと当該データに関する年代情報とが互いに関連付けられて記憶された第１の記憶手段と、
ユーザの個人履歴情報と年代情報とを対応付けるデータテーブルが記憶された第２の記憶手段と、
個人履歴情報の入力を受け付ける入力手段と、
前記入力された個人履歴情報に対応する年代情報を指示する指示手段と、
前記指示された年代情報に対応するデータを前記第１の記憶手段に記憶された年代情報に基づいて、前記第１の記憶手段から検索する検索手段と、
を備えることを特徴とする情報検索装置。
【請求項２】
前記入力手段は、個人履歴情報の再入力を受け付け、
前記指示手段は、前記入力手段により個人履歴情報が再入力された場合に、前記再入力された個人履歴情報に対応する年代情報を指示することを特徴とする請求項１に記載の情報検索装置。
【請求項３】
前記入力手段は個人履歴特定情報の入力を受け付け、
前記入力手段により入力された個人履歴特定情報に基づいて、前記データテーブルを生成して前記第２の記憶手段に記憶させる登録手段を備えることを特徴とする請求項１又は２に記載の情報検索装置。
【請求項４】
前記入力手段は、データテーブルの修正情報の入力を受け付け、
前記入力された修正情報に基づいて、前記データテーブルを修正する修正手段を備えることを特徴とする請求項１から３のいずれか一項に記載の情報検索装置。
【請求項５】
前記検索されたデータが複数あるとき、任意のデータを選択する選択手段を備えることを特徴とする請求項１から４のいずれか一項に記載の情報検索装置。
【請求項６】
情報検索装置と、
前記情報検索装置に通信接続可能な外部サーバと、を備え、
前記情報検索装置は、
個人履歴情報の入力を受け付ける入力手段と、
前記外部サーバへ前記個人履歴情報を端末から送信する第１の送信手段と、
前記外部サーバから前記個人履歴情報に対応するデータを受信する第１の受信手段と、を備え、
前記外部サーバは、
データと当該データに関する年代情報とが互いに関連付けられて記憶された第１の記憶手段と、
ユーザの個人履歴情報と年代情報とを対応付けるデータテーブルが記憶された第２の記憶手段と、
前記情報検索装置から個人履歴情報を受信する第２の受信手段と、
前記第２の受信手段によって受信された個人履歴情報に対応する年代情報を指示する指示手段と、
前記指示された年代情報に対応するデータを前記第１の記憶手段に記憶された年代情報に基づいて、前記第１の記憶手段から検索する検索手段と、
前記情報検索装置へ前記検索したデータを送信する第２の送信手段と、
を備えることを特徴とする情報検索システム。
【請求項７】
前記入力手段は、個人履歴情報の再入力を受け付け、
前記指示手段は、前記入力手段により個人履歴情報が再入力された場合に、前記再入力された個人履歴情報に対応する年代情報を指示することを特徴とする請求項６に記載の情報検索システム。
【請求項８】
前記入力手段は、個人履歴特定情報の入力を受け付け、
前記情報検索装置は、前記入力手段により入力された個人履歴特定情報に基づいて、前記データテーブルを生成して前記外部サーバへ送信する第３の送信手段を備え、
前記外部サーバは、前記情報検索装置から前記データテーブルを受信して前記第２の記憶手段に記憶する登録手段を備えることを特徴とする請求項６又は７に記載の情報検索システム。
【請求項９】
前記入力手段は、データテーブルの修正情報の入力を受け付け、
前記入力された修正情報に基づいて、前記データテーブルを修正する修正手段を備えることを特徴とする請求項６から８のいずれか一項に記載の情報検索システム。
【請求項１０】
前記情報検索装置は、前記検索されたデータが複数あるとき、任意のデータを選択する選択手段と、
前記外部サーバへ前記選択されたデータの要求を送信する第４の送信手段と、を備え、
前記外部サーバは、前記情報検索装置から前記データの要求を受信する第３の受信手段を備え、
前記検索手段は前記要求されたデータを前記第１の記憶手段から検索し、
前記第２の送信手段は、前記情報検索装置へ前記要求されたデータを送信することを特徴とする請求項６から９のいずれか一項に記載の情報検索システム。
【請求項１１】
情報検索装置と、
前記情報検索装置に通信接続可能な外部サーバと、を備え、
前記情報検索装置は、
個人履歴情報の入力を受け付ける入力手段と、
ユーザの個人履歴情報と年代情報とを対応付けるデータテーブルが記憶された第１の記憶手段と、
前記入力された個人履歴情報に対応する年代情報を指示する指示手段と、
前記外部サーバへ前記指示された年代情報を端末から送信する第１の送信手段と、
前記外部サーバから前記年代情報に対応するデータを受信する第１の受信手段と、を備え、
前記外部サーバは、
データと当該データに関する年代情報とが互いに関連付けられて記憶された第２の記憶手段と、
前記情報検索装置から前記指示された年代情報を受信する第２の受信手段と、
前記第２の受信手段によって受信された年代情報に対応するデータを前記第２の記憶手段に記憶された年代情報に基づいて、前記第２の記憶手段から検索する検索手段と、
前記情報検索装置へ前記検索したデータを送信する第２の送信手段と、
を備えることを特徴とする情報検索システム。
【請求項１２】
前記入力手段は、個人履歴情報の再入力を受け付け、
前記指示手段は、前記入力手段により個人履歴情報が再入力された場合に、前記再入力された個人履歴情報に対応する年代情報を指示することを特徴とする請求項１１に記載の情報検索システム。
【請求項１３】
前記入力手段は個人履歴特定情報の入力を受け付け、
前記情報検索装置は、前記入力手段により入力された個人履歴特定情報に基づいて、前記データテーブルを生成して前記第１の記憶手段に記憶する登録手段を備えることを特徴とする請求項１１又は１２に記載の情報検索システム。
【請求項１４】
前記入力手段は、データテーブルの修正情報の入力を受け付け、
前記入力された修正情報に基づいて、前記データテーブルを修正する修正手段を備えることを特徴とする請求項１１から１３のいずれか一項に記載の情報検索システム。
【請求項１５】
前記情報検索装置は、前記検索されたデータが複数あるとき、任意のデータを選択する選択手段と、
前記外部サーバへ前記選択されたデータの要求を送信する第３の送信手段と、を備え、
前記外部サーバは、前記情報検索装置から前記データの要求を受信する第３の受信手段を備え、
前記検索手段は前記要求されたデータを前記第１の記憶手段から検索し、
前記第２の送信手段は、前記情報検索装置へ前記要求されたデータを送信することを特徴とする請求項１１から１４のいずれか一項に記載の情報検索システム。
【請求項１６】
データと当該データに関する年代情報とが互いに関連付けられて記憶される第１の記憶工程と、
ユーザの個人履歴情報と年代情報とを対応付けるデータテーブルが記憶される第２の記憶工程と、
個人履歴情報の入力を受け付ける入力工程と、
前記入力された個人履歴情報に対応する年代情報を指示する指示工程と、
前記指示された年代情報に対応するデータを前記第１の記憶工程において記憶された年代情報に基づいて、前記第１の記憶工程において記憶されたデータ検索する検索工程と、
を含むことを特徴とする情報検索方法。
【請求項１７】
情報検索装置と、
前記情報検索装置に通信接続可能な外部サーバと、を備えた情報検索システムにおける情報検索方法であって、
前記情報検索装置において、
個人履歴情報の入力を受け付ける入力工程と、
前記外部サーバへ前記個人履歴情報を端末から送信する第１の送信工程と、
前記外部サーバから前記個人履歴情報に対応するデータを受信する第１の受信工程と、を含み、
前記外部サーバにおいて、
データと当該データに関する年代情報とが互いに関連付けられて記憶される第１の記憶工程と、
ユーザの個人履歴情報と年代情報とを対応付けるデータテーブルが記憶される第２の記憶工程と、
前記情報検索装置から個人履歴情報を受信する第２の受信工程と、
前記第２の受信工程によって受信された個人履歴情報に対応する年代情報を指示する指示工程と、
前記指示された年代情報に対応するデータを前記第１の記憶工程において記憶された年代情報に基づいて、前記第１の記憶工程において記憶されたデータから検索する検索工程と、
前記情報検索装置へ前記検索したデータを送信する第２の送信工程と、
を含むことを特徴とする情報検索方法。
【請求項１８】
情報検索装置と、
前記情報検索装置に通信接続可能な外部サーバと、を備えた情報検索システムにおける情報検索方法であって、
前記情報検索装置において、
個人履歴情報の入力を受け付ける入力工程と、
ユーザの個人履歴情報と年代情報とを対応付けるデータテーブルが記憶される第１の記憶工程と、
前記入力された個人履歴情報に対応する年代情報を指示する指示工程と、
前記外部サーバへ前記指示された年代情報を端末から送信する第１の送信工程と、
前記外部サーバから前記年代情報に対応するデータを受信する第１の受信工程と、を含み、
前記外部サーバにおいて、
データと当該データに関する年代情報とが互いに関連付けられて記憶される第２の記憶工程と、
前記情報検索装置から前記指示された年代情報を受信する第２の受信工程と、
前記第２の受信工程によって受信された年代情報に対応するデータを前記第２の記憶工程において記憶された年代情報に基づいて、前記第２の記憶工程において記憶されたデータから検索する検索工程と、
前記情報検索装置へ前記検索したデータを送信する第２の送信工程と、
を含むことを特徴とする情報検索方法。
【請求項１９】
コンピュータに、
データと当該データに関する年代情報とが互いに関連付けられて記憶される第１の記憶機能と、
ユーザの個人履歴情報と年代情報とを対応付けるデータテーブルが記憶される第２の記憶機能と、
個人履歴情報の入力を受け付ける入力機能と、
前記入力された個人履歴情報に対応する年代情報を指示する指示機能と、
前記指示された年代情報に対応するデータを前記第１の記憶機能において記憶された年代情報に基づいて、前記第１の記憶機能において記憶されたデータから検索する検索機能と、
を実現させるための情報検索プログラム。
【発明の詳細な説明】
【技術分野】
【０００１】
本発明は、情報検索装置、情報検索システム、情報検索方法及び情報検索プログラムに関する。
【背景技術】
【０００２】
従来、音楽ＣＤ（Compact Disc）から楽曲データを抽出するリッピングという技術が知られている。楽曲のリッピングを行う際、ＣＤ情報ＤＢ（DataBase）と呼ばれる楽曲データベースを用いたサービスが普及している。ＣＤ情報ＤＢ対応のＣＤ再生装置は、ＣＤがセットされると、インターネット等を介してＣＤ情報ＤＢサーバに通信接続し、セットされたＣＤのＴＯＣ（Table Of Contents）情報をＣＤ情報ＤＢサーバに送信し、そのＣＤ情報ＤＢサーバがＴＯＣ情報に基づいて楽曲情報を検索し、ダウンロードして記憶部に記憶する。この楽曲情報の中に楽曲の発表年に関するデータがある場合、ＣＤ再生装置において、聴きたい年を指定すると、記憶された楽曲情報から合致する楽曲を検索し、その年の曲をリストアップすることができる（例えば、特許文献１参照）。
【特許文献１】特開２００４−１３８９７２号公報
【発明の開示】
【発明が解決しようとする課題】
【０００３】
しかし、従来の構成では、記憶媒体(ＣＤ)の楽曲に対応する年代情報(楽曲の発表年情報)と一致する西暦年を入力し、所望の楽曲を検索することは可能であるが、ユーザの年齢又は学生時代の学年を入力し、所望の楽曲情報を検索することができない。したがって、ユーザは所望の楽曲を検索する際、自らの年齢又は学年と、楽曲の発表年である西暦年を照らし合わせてから入力しなければならない為、ユーザ側の操作負担が大きくなるという問題があった。
【０００４】
例えば、ユーザが実際に所望の曲を連想する際には、「中学３年生の時」あるいは「１４歳の時」といった自己の記憶に基づいた出来事から連想することが多く、「西暦○○年」といった記憶形式ではない。したがって、ユーザは個人情報を西暦年に合致させる作業を自ら行わなければならず、所望の楽曲を検索するまでに時間を要し、操作負担が大きくなるという問題があった。
【０００５】
本発明の課題は、ユーザ固有の検索項目を用いて必要とするデータを容易に検索可能とすることにある。
【課題を解決するための手段】
【０００６】
上記課題を解決するため、請求項１に記載の発明の情報検索装置は、
データと当該データに関する年代情報とが互いに関連付けられて記憶された第１の記憶手段と、
ユーザの個人履歴情報と年代情報とを対応付けるデータテーブルが記憶された第２の記憶手段と、
個人履歴情報の入力を受け付ける入力手段と、
前記入力された個人履歴情報に対応する年代情報を指示する指示手段と、
前記指示された年代情報に対応するデータを前記第１の記憶手段に記憶された年代情報に基づいて、前記第１の記憶手段から検索する検索手段と、
を備えることを特徴とする。
【０００７】
請求項２に記載の発明は、請求項１に記載の情報検索装置において、
前記入力手段は、個人履歴情報の再入力を受け付け、
前記指示手段は、前記入力手段により個人履歴情報が再入力された場合に、前記再入力された個人履歴情報に対応する年代情報を指示することを特徴とする。
【０００８】
請求項３に記載の発明は、請求項１又は２に記載の情報検索装置において、
前記入力手段は個人履歴特定情報の入力を受け付け、
前記入力手段により入力された個人履歴特定情報に基づいて、前記データテーブルを生成して前記第２の記憶手段に記憶させる登録手段を備えることを特徴とする。
【０００９】
請求項４に記載の発明は、請求項１から３のいずれか一項に記載の情報検索装置において、
前記入力手段は、データテーブルの修正情報の入力を受け付け、
前記入力された修正情報に基づいて、前記データテーブルを修正する修正手段を備えることを特徴とする。
【００１０】
請求項５に記載の発明は、請求項１から４のいずれか一項に記載の情報検索装置において、
前記検索されたデータが複数あるとき、任意のデータを選択する選択手段を備えることを特徴とする。
【００１１】
請求項６に記載の発明の情報検索システムは、
情報検索装置と、
前記情報検索装置に通信接続可能な外部サーバと、を備え、
前記情報検索装置は、個人履歴情報の入力を受け付ける入力手段と、
前記外部サーバへ前記個人履歴情報を端末から送信する第１の送信手段と、
前記外部サーバから前記個人履歴情報に対応するデータを受信する第１の受信手段と、を備え、
前記外部サーバは、データと当該データに関する年代情報とが互いに関連付けられて記憶された第１の記憶手段と、
ユーザの個人履歴情報と年代情報とを対応付けるデータテーブルが記憶された第２の記憶手段と、
前記情報検索装置から個人履歴情報を受信する第２の受信手段と、
前記第２の受信手段によって受信された個人履歴情報に対応する年代情報を指示する指示手段と、
前記指示された年代情報に対応するデータを前記第１の記憶手段に記憶された年代情報に基づいて、前記第１の記憶手段から検索する検索手段と、
前記情報検索装置へ前記検索したデータを送信する第２の送信手段と、
を備えることを特徴とする。
【００１２】
請求項７に記載の発明は、請求項６に記載の情報検索システムにおいて、
前記入力手段は、個人履歴情報の再入力を受け付け、
前記指示手段は、前記入力手段により個人履歴情報が再入力された場合に、前記再入力された個人履歴情報に対応する年代情報を指示することを特徴とする。
【００１３】
請求項８に記載の発明は、請求項６又は７に記載の情報検索システムにおいて、
前記入力手段は、個人履歴特定情報の入力を受け付け、
前記情報検索装置は、前記入力手段により入力された個人履歴特定情報に基づいて、前記データテーブルを生成して前記外部サーバへ送信する第３の送信手段を備え、
前記外部サーバは、前記情報検索装置から前記データテーブルを受信して前記第２の記憶手段に記憶する登録手段を備えることを特徴とする。
【００１４】
請求項９に記載の発明は、請求項６から８のいずれか一項に記載の情報検索システムにおいて、
前記入力手段は、データテーブルの修正情報の入力を受け付け、
前記入力された修正情報に基づいて、前記データテーブルを修正する修正手段を備えることを特徴とする。
【００１５】
請求項１０に記載の発明は、請求項６から９のいずれか一項に記載の情報検索システムにおいて、
前記情報検索装置は、前記検索されたデータが複数あるとき、任意のデータを選択する選択手段と、
前記外部サーバへ前記選択されたデータの要求を送信する第４の送信手段と、を備え、  前記外部サーバは、前記情報検索装置から前記データの要求を受信する第３の受信手段を備え、
前記検索手段は前記要求されたデータを前記第１の記憶手段から検索し、
前記第２の送信手段は、前記情報検索装置へ前記要求されたデータを送信することを特徴とする。
【００１６】
請求項１１に記載の発明の情報検索システムは、
情報検索装置と、
前記情報検索装置に通信接続可能な外部サーバと、を備え、
前記情報検索装置は、
個人履歴情報の入力を受け付ける入力手段と、
ユーザの個人履歴情報と年代情報とを対応付けるデータテーブルが記憶された第１の記憶手段と、
前記入力された個人履歴情報に対応する年代情報を指示する指示手段と、
前記外部サーバへ前記指示された年代情報を端末から送信する第１の送信手段と、
前記外部サーバから前記年代情報に対応するデータを受信する第１の受信手段と、を備え、
前記外部サーバは、データと当該データに関する年代情報とが互いに関連付けられて記憶された第２の記憶手段と、
前記情報検索装置から前記指示された年代情報を受信する第２の受信手段と、
前記第２の受信手段によって受信された年代情報に対応するデータを前記第２の記憶手段に記憶された年代情報に基づいて、前記第２の記憶手段から検索する検索手段と、
前記情報検索装置へ前記検索したデータを送信する第２の送信手段と、
を備えることを特徴とする。
【００１７】
請求項１２に記載の発明は、請求項１１に記載の情報検索システムにおいて、
前記入力手段は、個人履歴情報の再入力を受け付け、
前記指示手段は、前記入力手段により個人履歴情報が再入力された場合に、前記再入力された個人履歴情報に対応する年代情報を指示することを特徴とする。
【００１８】
請求項１３に記載の発明は、請求項１１又は１２に記載の情報検索システムにおいて、
前記入力手段は個人履歴特定情報の入力を受け付け、
前記情報検索装置は、前記入力手段により入力された個人履歴特定情報に基づいて、前記データテーブルを生成して前記第１の記憶手段に記憶する登録手段を備えることを特徴とする。
【００１９】
請求項１４に記載の発明は、請求項１１から１３のいずれか一項に記載の情報検索システムにおいて、
前記入力手段は、データテーブルの修正情報の入力を受け付け、
前記入力された修正情報に基づいて、前記データテーブルを修正する修正手段を備えることを特徴とする。
【００２０】
請求項１５に記載の発明は、請求項１１から１４のいずれか一項に記載の情報検索システムにおいて、
前記情報検索装置は、前記検索されたデータが複数あるとき、任意のデータを選択する選択手段と、
前記外部サーバへ前記選択されたデータの要求を送信する第３の送信手段と、を備え、  前記外部サーバは、前記情報検索装置から前記データの要求を受信する第３の受信手段を備え、
前記検索手段は前記要求されたデータを前記第１の記憶手段から検索し、
前記第２の送信手段は、前記情報検索装置へ前記要求されたデータを送信することを特徴とする。
【００２１】
請求項１６に記載の発明の情報検索方法は、
データと当該データに関する年代情報とが互いに関連付けられて記憶される第１の記憶工程と、
ユーザの個人履歴情報と年代情報とを対応付けるデータテーブルが記憶される第２の記憶工程と、
個人履歴情報の入力を受け付ける入力工程と、
前記入力された個人履歴情報に対応する年代情報を指示する指示工程と、
前記指示された年代情報に対応するデータを前記第１の記憶工程において記憶された年代情報に基づいて、前記第１の記憶工程において記憶されたデータ検索する検索工程と、  を含むことを特徴とする。
【００２２】
請求項１７に記載の発明は、
情報検索装置と、
前記情報検索装置に通信接続可能な外部サーバと、を備えた情報検索システムにおける情報検索装置であって、
前記情報検索装置において、
個人履歴情報の入力を受け付ける入力工程と、
前記外部サーバへ前記個人履歴情報を端末から送信する第１の送信工程と、
前記外部サーバから前記個人履歴情報に対応するデータを受信する第１の受信工程と、を含み、
前記外部サーバにおいて、
データと当該データに関する年代情報とが互いに関連付けられて記憶される第１の記憶工程と、
ユーザの個人履歴情報と年代情報とを対応付けるデータテーブルが記憶される第２の記憶工程と、
前記情報検索装置から個人履歴情報を受信する第２の受信工程と、
前記第２の受信工程によって受信された個人履歴情報に対応する年代情報を指示する指示工程と、
前記指示された年代情報に対応するデータを前記第１の記憶工程において記憶された年代情報に基づいて、前記第１の記憶工程において記憶されたデータから検索する検索工程と、
前記情報検索装置へ前記検索したデータを送信する第２の送信工程と、
を含むことを特徴とする。
【００２３】
請求項１８に記載の発明は、
情報検索装置と、
前記情報検索装置に通信接続可能な外部サーバと、を備えた情報検索システムにおける情報検索方法であって、
前記情報検索装置において、
個人履歴情報の入力を受け付ける入力工程と、
ユーザの個人履歴情報と年代情報とを対応付けるデータテーブルが記憶される第１の記憶工程と、
前記入力された個人履歴情報に対応する年代情報を指示する指示工程と、
前記外部サーバへ前記指示された年代情報を端末から送信する第１の送信工程と、
前記外部サーバから前記年代情報に対応するデータを受信する第１の受信工程と、を含み、
前記外部サーバにおいては、
データと当該データに関する年代情報とが互いに関連付けられて記憶される第２の記憶工程と、
前記情報検索装置から前記指示された年代情報を受信する第２の受信工程と、
前記第２の受信工程によって受信された年代情報に対応するデータを前記第２の記憶工程において記憶された年代情報に基づいて、前記第２の記憶工程において記憶されたデータから検索する検索工程と、
前記情報検索装置へ前記検索したデータを送信する第２の送信工程と、
を含むことを特徴とする。
【００２４】
請求項１９に記載の発明の情報検索プログラムは、
コンピュータに、
データと当該データに関する年代情報とが互いに関連付けられて記憶される第１の記憶機能と、
ユーザの個人履歴情報と年代情報とを対応付けるデータテーブルが記憶される第２の記憶機能と、
個人履歴情報の入力を受け付ける入力機能と、
前記入力された個人履歴情報に対応する年代情報を指示する指示機能と、
前記指示された年代情報に対応するデータを前記第１の記憶機能において記憶された年代情報に基づいて、前記第１の記憶機能において記憶されたデータから検索する検索機能と、
を実現させることを特徴とする。
【発明の効果】
【００２５】
本発明によれば、ユーザ固有の検索項目を用いて必要とするデータを容易に検索可能とすることができる。
【発明を実施するための最良の形態】
【００２６】
以下、添付図１〜１２を参照して本発明に係る実施の形態を詳しく説明する。ただし、発明の範囲は、図示例に限定されない。
【００２７】
図１〜図５を参照して、本発明に係る第１の実施の形態を説明する。先ず、図１を参照して、本実施の形態の装置構成を説明する。図１に、情報検索装置としての再生装置１０を示す。
【００２８】
再生装置１０は、データとして楽曲（楽曲データ）を検索するものとして説明するが、これに限定されるものではなく、データとして映画、漫画、ＴＶドラマ、ＴＶ・ラジオコマーシャルの画像データ等、としてもよい。
【００２９】
本実施の形態の再生装置１０は、記録媒体としてのＨＤＤ（Hard Disk Drive）１３に記憶された楽曲ファイルを適宜選択し、再生することにより音声出力する装置である。楽曲ファイルにはデータ（楽曲データ）と年代情報（楽曲付加情報）が含まれている。再生装置１０は、ＣＰＵ（Central Processing Unit）１１と、Ｉ／Ｆ（インタフェース）１２と、第１の記憶手段、第２の記憶手段としてのＨＤＤ１３と、生年月日換算データベース１４と、楽曲情報データベース１５と、入力手段、選択手段としての入力部１６と、表示手段としての表示部１７と、ＲＯＭ（Read Only Memory）１８と、ＲＡＭ（Random Access Memory）１９と、音声出力部２０と、ヘッドフォン又はスピーカ部２１と、通信部２２と、を備えて構成され、ＣＰＵ１１以外の各部がＣＰＵ１１に接続される。
【００３０】
ＣＰＵ１１は、再生装置１０の各部を中央制御する。ＣＰＵ１１は、ＲＯＭ１８に記憶されているシステムプログラム及び各種アプリケーションプログラムの中から指定されたプログラムをＲＡＭ１９に展開し、ＲＡＭ１９に展開されたプログラムとの協働で、各種処理を実行する。ＣＰＵ１１と、各種プログラムは協働して、指示手段、修正手段、登録手段、検索手段として機能する。ＲＯＭ１８には、後述する個人情報登録プログラム、楽曲情報検索プログラムが記憶される。
【００３１】
また、ＣＰＵ１１は、上記個人情報登録プログラムとの協働により、個人履歴情報としての学生時代の学年数等と、年代情報としての年数（西暦年）等を対応付けるデータテーブルを作成し、ＨＤＤ１３に保存する。
【００３２】
また、ＣＰＵ１１は、上記楽曲情報検索プログラムとの協働により、学生時代の学年数等と対応する年数（西暦年）等を指示し、年数（西暦年）等に対応する楽曲ファイルを、ＨＤＤ１３に記憶された楽曲ファイルの中から検索する。
【００３３】
Ｉ／Ｆ１２は、再生装置１０と通信ケーブル等を介して通信接続し、ＰＣ（Personal Computer）３０との間の通信を介する。
【００３４】
ＲＯＭ１８は、読み出し専用の記憶媒体であって、ＣＰＵ１１により実行される各種プログラムや各種データを記憶する。
【００３５】
ＨＤＤ１３は、各種データを読み出し及び書き込み可能に記憶する。ＨＤＤ１３は、後述する生年月日換算データベース１４、楽曲情報データベース１５等が記憶される。
【００３６】
生年月日換算データベース１４は、自動作成された生年月日換算データを変更可能に有する。生年月日換算データは、データテーブルとして保存されている。具体的に生年月日換算データベース１４のデータテーブルには、図４に示す通り、年数（西暦年）に対応付けられた状態で、個人履歴特定情報としての生年月日、学生時代の学年、年齢、時代等が登録・記録されている。
【００３７】
楽曲情報データベース１５は、楽曲ファイルを変更可能に有する。楽曲ファイルは、データとしての音声データを含む楽曲データ、データに関する年代情報としての発表年等を含む情報（楽曲付加情報）が含まれている。
【００３８】
入力部１６は、文字キー、数字キーや、各種機能に対応付けられた各種キーを備え、操作されたキーに対する操作信号を受け付けてＣＰＵ１１に出力する。また、入力部１６は、表示部１７の表示画面を覆うように設けられたタッチパネル等のポインティングデバイスや、無線又は有線のリモートコントローラ等を介して操作入力を受け付ける構成、あるいは、音声入力を受け付ける構成としてもよい。
【００３９】
表示部１７は、ＬＣＤ（Liquid Crystal Display）や、ＥＬ（ElectroLuminescent）ディスプレイ等により構成され、ＣＰＵ１１からの表示指示に基づき、各種設定入力画面や、各種表示情報を表示する。
【００４０】
ＲＡＭ１９は、揮発性のメモリであり、実行される各種プログラムやこれら各種プログラムに係るデータ等を一時的に記憶するワークエリアを形成する。
【００４１】
音声出力部２０は、信号変換回路、アンプ、スピーカ等を備え、ＣＰＵ１１の制御により入力される音声データ（サンプリングデータ）を信号変換回路で音声信号に変換し、その音声信号をアンプにより増幅してヘッドフォン又はスピーカ部２１から音声出力する。
【００４２】
通信部２２は、ＬＡＮ（Local Area Network），ＷＡＮ（Wide Area Network），インターネットなどのネットワークＮに接続された伝送媒体に接続可能なインターフェースである。通信部２２はモデム，ターミナルアダプタなどにより構成されており、電話回線、ＩＳＤＮ（Integrated Service Digital Network）回線、専用線、移動体通信回線、通信衛星回線、ＣＡＴＶ（Cable TV）回線などの通信回線を介して外部機器との通信をおこなうための制御をおこなうようになっている。
【００４３】
図２に示すようにＰＣ３０は、ＣＰＵ３１と、Ｉ／Ｆ３２と、ＲＡＭ３３と、表示部３４と、入力部３５と、通信部３６と、ＨＤＤ３７と、ＣＤドライブ３８と、を備えて構成され、ＣＰＵ３１以外の各部がＣＰＵ３１に接続される。
【００４４】
ＣＰＵ３１は、ＰＣ３０の各部を中央制御する。ＣＰＵ３１は、ＨＤＤ３７に記憶されているシステムプログラム及び各種アプリケーションプログラムの中から指定されたプログラムをＲＡＭ３３に展開し、ＲＡＭ３３に展開されたプログラムとの協働で、各種処理を実行する。ＣＰＵ３１は楽曲ファイル取得プログラムとの協働で楽曲ファイルを取得する。
【００４５】
Ｉ／Ｆ３２は、ＰＣ３０と通信ケーブル等を介して通信接続し、再生装置１０との間の通信を介する。
【００４６】
ＲＡＭ３３は、揮発性のメモリであり、実行される各種プログラムやこれら各種プログラムに係るデータ等を一時的に記憶するワークエリアを形成する。
【００４７】
表示部３４は、ＣＲＴ（Cathode Ray Tube）ディスプレイやＬＣＤ（Liquid Crystal Display）や、ＥＬ（ElectroLuminescent）ディスプレイ等により構成され、ＣＰＵ３１からの表示指示に基づき、各種設定入力画面や、各種表示情報を表示する。
【００４８】
入力部３５は、文字キー、数字キーや、各種機能に対応付けられた各種キーを備え、操作されたキーに対する操作信号を受け付けてＣＰＵ３１に出力する。また、入力部３５は、表示部３４の表示画面を覆うように設けられたタッチパネル等のポインティングデバイスや、無線又は有線のリモートコントローラ等を介して操作入力を受け付ける構成、あるいは、音声入力を受け付ける構成としてもよい。
【００４９】
通信部３６は、ＬＡＮ，ＷＡＮ，インターネットなどのネットワークＮに接続された伝送媒体に接続可能なインターフェースである。通信部３６はモデム，ターミナルアダプタなどにより構成されており、電話回線、ＩＳＤＮ回線、専用線、移動体通信回線、通信衛星回線、ＣＡＴＶ回線などの通信回線を介して外部機器との通信をおこなうための制御をおこなうようになっている。通信部３６は、ＰＣ３０と外部サーバ４０との間の通信を介する。
【００５０】
ＨＤＤ３７は各種データを読み出し及び書き込み可能に記憶する。
【００５１】
ＣＤドライブ３８は、セットされたＣＤを回転するスピンドルモータ、セットされたＣＤの信号を読む光ピックアップ、ＣＤから読み出した信号を増幅し各種演算処理を施す信号処理部等を備え、ＣＰＵ３１の制御により、セットされたＣＤから音声データ等の信号を出力する。
【００５２】
ネットワークＮは電話回線網、ＩＳＤＮ回線網、専用線、移動体通信網、通信衛星回線、ＣＡＴＶ回線網などの各種通信回線とそれらを接続するインターネットサービスプロバイダ基地局などから構成されている。
【００５３】
外部サーバ４０は、ネットワークＮ上の複数のサーバからなり、ＣＤ情報ＤＢ等を含む構成とする。ＣＤ情報ＤＢはＰＣ３０等の機器からネットワークＮを介してＣＤの楽曲付加情報要求を受信すると、その楽曲付加情報要求に対応する楽曲付加情報を記憶部から読出して要求元の機器に送信する。
【００５４】
次に、図３〜図５を参照して、再生装置１０の動作を説明する。図３に、個人情報登録処理の流れを示す。図４にデータテーブルを示す。図５に、楽曲情報検索処理の流れを示す。
【００５５】
先ず、図３を参照して、再生装置１０において実行される個人情報登録処理を説明する。個人情報登録処理は、操作者の個人情報を再生装置１０に設定して保存する処理である。
【００５６】
予め、ＰＣ３０より楽曲ファイルが取得されているものとする。楽曲ファイルは、楽曲の音声データを含む楽曲ファイルと、その楽曲の発表年等の楽曲付加情報を含む。
【００５７】
楽曲ファイル取得処理は例えば、操作者から入力部３５を介して楽曲ファイル取得処理の実行指示が入力されたこと等をトリガとして、ＣＰＵ３１において、ＨＤＤ３７に記憶された楽曲ファイル取得プログラムが適宜読み出されてＲＡＭ３３上に展開され、ＣＰＵ３１と、楽曲ファイル取得プログラムとの協働により実行される。
【００５８】
予めＣＤがＣＤドライブ３８にセットされているものとすると、セットされたＣＤからＴＯＣ情報が読み出される。ＴＯＣ情報は、ＣＤに記録されるトラックを管理するための情報であり、トラック数、各トラックのトラック番号、再生時間（トラック長）、開始位置、データサイズ等の情報を含む。読み出されたＴＯＣ情報に基づいて、セットされたＣＤにおけるＣＤ情報ＤＢの楽曲付加情報の要求が生成され、通信部３６、ネットワークＮを介してＣＤ情報ＤＢサーバに送信される。ＣＤ情報ＤＢサーバにおいて、その要求された楽曲付加情報がＣＤ情報ＤＢサーバに記憶された楽曲付加情報のうちから検索される。
【００５９】
そして、セットされたＣＤに対応するＣＤ情報ＤＢの楽曲付加情報が検索されると、通信部３６を介してセットされたＣＤに対応するＣＤ情報ＤＢの楽曲付加情報が音声データと共にＨＤＤ３７に格納される。
【００６０】
ＨＤＤ３７に格納された楽曲ファイルはＩ／Ｆ３２を介して通信接続した再生装置１０へ送信される。送信された楽曲ファイルは楽曲情報データベース１５に格納され、楽曲ファイル取得処理が終了する。
【００６１】
そして、操作者により入力部１６を介して個人情報登録処理の実行指令が入力されたことをトリガとして、ＲＯＭ１８に記憶された個人情報登録プログラムが適宜読み出されてＲＡＭ１９に展開され、ＣＰＵ１１と、展開された個人情報登録プログラムとの協働により個人情報登録処理が実行される。
【００６２】
先ず、操作者により入力部１６を介して、個人情報の入力の選択入力が受け付けられ、個人情報を入力するか否かが判別される（ステップＳ１１）。操作者が個人情報入力を選択しなかった場合（ステップＳ１１；ＮＯ）、個人情報登録処理が終了する。操作者が個人情報入力を選択した場合（ステップＳ１１；ＹＥＳ）、操作者により入力部１６を介して、操作者のユーザＩＤ（Identification）及び生年月日情報が入力される（ステップＳ１２）。
【００６３】
そして、入力された生年月日情報を基準として、西暦年数と操作者の学年、年齢等の対応付けが行われる。例えば操作者が「１９６５年２月生まれ」の場合、「中学３年」の時は「１９７９年」のように対応付けを行う。対応付けた結果は図示しない換算表としてＨＤＤ１３に記憶される。この換算表を基にして図４に示すデータテーブルが生成され、ＨＤＤ１３に記憶される。データテーブルは図４に示すように、生年月日情報から対応付けられた状態で、年数、年齢、学年、時代、などが登録・記録されている。また、データテーブルはステップＳ１２で入力されたユーザＩＤが記録されており、操作者に固有のデータテーブルを特定することができるようになっている。データテーブル生成後、データテーブルは表示部１７に表示される（ステップＳ１３）。操作者によりデータテーブルが参照され、操作者の年齢、学年、時代が西暦年と一致していなく、修正があるか否かが判別される（ステップＳ１４）。例えば「１９６５年７月生まれ」で計算による「大学３年」の時が「１９８６年」で「１９８８年」に修正したい場合、修正を入力部１６を介して行う。修正操作者がデータテーブルに修正の必要なしと選択した場合（ステップＳ１４；ＮＯ）、個人情報登録処理が終了する。データテーブルに修正が必要である場合（ステップＳ１４；ＹＥＳ）、操作者により入力部１６を介して、データテーブルが修正入力される（ステップＳ１５）。
【００６４】
そして、操作者によりデータテーブルの確認が再度行われて、その可否が入力部１６を介して入力され、確認ＯＫであるか否かが判別される（ステップＳ１６）。修正の必要がある場合（ステップＳ１６；ＮＯ）は、ステップＳ１５に移行される。操作者の確認後、修正の必要がない場合（ステップＳ１６；ＹＥＳ）は、データテーブルが生年月日換算データベース１４に保存され（ステップＳ１７）、個人情報登録処理が終了する。
【００６５】
次いで、図５を参照して再生装置１０において実行される楽曲情報検索処理を説明する。楽曲情報検索処理は、楽曲の検索条件を再生装置１０に設定して所望の楽曲を選択する処理である。
【００６６】
操作者から入力部１６を介して楽曲情報検索処理の実行指令が入力されたことをトリガとして、ＲＯＭ１８に記憶された楽曲情報検索プログラムが適宜読み出されてＲＡＭ１９に展開され、ＣＰＵ１１と、展開された楽曲情報検索プログラムとの協働により楽曲情報検索処理が実行される。
【００６７】
操作者から入力部１６を介して、ユーザＩＤ及び学生時代の学年数が入力される（ステップＳ２１）。生年月日換算データベース１４内の、入力ユーザＩＤに対応するデータテーブルに基づいて入力された学生時代の学年数に対応する西暦年が楽曲情報検索プログラムによって指示される。そして、楽曲情報データベース１５に記憶された楽曲付加情報が参照され、指示された西暦年と一致する発表年の楽曲が検索される（ステップＳ２２）。
【００６８】
そして、検索された楽曲名が表示部１７に表示され（ステップＳ２３）、操作者により表示された楽曲名から、任意（所望）の楽曲名が指示される。
【００６９】
そして、所望の楽曲名と西暦年が一致しておらず、操作者の修正要求入力が入力部１６でなされたか否かが判別される（ステップＳ２４）。西暦年の修正の必要がある場合（ステップＳ２４；ＹＥＳ）は、ステップＳ２１に移行され、操作者により学生時代の学年数が再入力される。西暦年修正の必要がない場合（ステップＳ２４；ＮＯ）は、操作者により楽曲名が指示され、所望の楽曲名が入力部１６から選択され（ステップＳ２５）、楽曲情報検索処理が終了する。
【００７０】
そして、楽曲情報データベース１５からステップＳ２５で選択された所望の楽曲に対応する楽曲ファイルが読み出され、その楽曲ファイルの音声データが音声出力部２０に入力され、音声出力部２０によりその音声データが再生開始されて音声出力される。
【００７１】
以上、本実施の形態によれば、情報検索装置としての再生装置１０において、操作者の個人履歴情報としての学生時代の学年等に基づいて、データに関する年代情報としての楽曲の発表年を検索するので、ユーザ固有の検索項目を用いて必要とするデータを容易に検索可能とすることができる。
【００７２】
また、最初の楽曲名検索で所望の楽曲の発表年ではなかった場合、学生時代の学年数等を再入力することにより楽曲名検索が可能となる。
【００７３】
また、操作者の生年月日を入力することにより、個人履歴情報としての学生時代の学年数等と年代情報としての年数（西暦年）等が対応するデータテーブルを生成して登録しＨＤＤ１３に記憶するので、操作者の学生時代の学年数等と年数（西暦年）等の対応が簡単に可能となる。
【００７４】
また、最初のデータテーブルの生成時に学生時代の学年数等と年数（西暦年）等が対応しない場合、学生時代の学年数等又は年数（西暦年）等の修正情報を入力部１６を介して入力することにより学生時代の学年数と西暦年の設定を確実に行うことができる。
【００７５】
また、操作者は表示された楽曲名から、所望の楽曲ファイルを選択することにより、音声出力部２０、ヘッドフォン又はスピーカ部２１を介して所望の楽曲ファイルの視聴が可能となる。
【００７６】
（第２の実施の形態）
図６〜図９を参照して、本発明に係る第２の実施の形態を説明する。図６に情報検索システム１００Ａの構成を示す。図７に外部サーバ４０Ａの構成を示す。図８に、データテーブル生成処理、データテーブル登録処理の流れを示す。図９に、第１の楽曲情報選択処理、第１の楽曲情報提供処理の流れを示す。
【００７７】
本実施の形態は、情報検索システム１００Ａを用いる。また、第１の実施の形態で実行する個人情報登録処理に代えて、データテーブル生成処理、データテーブル登録処理、さらに第１の実施の形態で実行する楽曲情報検索処理に代えて、第１の楽曲情報選択処理、第１の楽曲情報提供処理を、それぞれ実行するものである。本実施の形態では、第１の実施の形態と異なる部分を主として説明する。
【００７８】
図６に示すように、本実施の形態の情報検索システム１００Ａは、各種コンテンツを再生可能な再生装置１０Ａと、外部サーバ４０Ａ、ネットワークＮと、を備えて構成される。再生装置１０Ａは、再生装置１０のＨＤＤ１３に記憶される生年月日換算データベース１４と、楽曲情報データベース１５と、を除いたものである。
【００７９】
情報検索システム１００Ａは、データとして楽曲（楽曲データ）を検索するものとして説明するが、これに限定されるものではなく、データとして映画、漫画、ＴＶドラマ、ＴＶ・ラジオコマーシャルの画像データ等、としてもよい。
【００８０】
本実施の形態の再生装置１０Ａは、外部サーバ４０Ａから楽曲ファイルを受信し、ＲＡＭ１９Ａに記録された楽曲ファイルを適宜選択し、再生することにより音声出力する装置である。再生装置１０Ａは、ＣＰＵ１１Ａと、Ｉ／Ｆ（インタフェース）１２Ａと、入力手段、選択手段としての入力部１６Ａと、表示手段としての表示部１７Ａと、ＲＯＭ１８Ａと、ＲＡＭ１９Ａと、音声出力部２０Ａと、ヘッドフォン又はスピーカ部２１Ａと、第１の送信手段、第１の受信手段、第３の受信手段、第４の受信手段としての通信部２２Ａと、を備えて構成され、ＣＰＵ１１Ａ以外の各部がＣＰＵ１１Ａに接続される。各部はそれぞれ、第１の実施の形態と同様の構成である。
【００８１】
ＣＰＵ１１Ａは再生装置１０Ａの各部を中央制御する。ＣＰＵ１１Ａは、ＲＯＭ１８Ａに記憶されているシステムプログラム及び各種アプリケーションプログラムの中から指定されたプログラムをＲＡＭ１９Ａに展開し、ＲＡＭ１９Ａに展開されたプログラムとの協働で、各種処理を実行する。ＣＰＵ１１Ａと、各種プログラムは協働して、修正手段として機能する。ＲＯＭ１８Ａには、後述するデータテーブル生成プログラム、第１の楽曲情報選択プログラムが記憶される。
【００８２】
また、ＣＰＵ１１Ａは、上記データテーブル生成プログラムとの協働により、個人履歴情報としての学生時代の学年数等と、年代情報としての年数（西暦年）等を対応付けるデータテーブルを作成する。そして、作成したデータテーブルを外部サーバ４０Ａへ送信する。
【００８３】
また、ＣＰＵ１１Ａは、上記第１の楽曲情報選択プログラムとの協働により、外部サーバ４０Ａへ学生時代の学年数等を送信する。そして、外部サーバ４０Ａから学生時代の学年数に対応するデータとしての楽曲名を受信し、受信した楽曲名から任意のデータが入力部１６により選択される。そして、選択されたデータの要求を外部サーバ４０Ａへ送信する。
【００８４】
外部サーバ４０Ａは、外部サーバ内にある複数のサーバの１つである。図７に示すように、外部サーバ４０Ａは、ＣＰＵ４１Ａと、第１の記憶手段、第２の記憶手段としてのＨＤＤ４２Ａと、ＲＡＭ４３Ａと、第２の送信手段、第２の受信手段、第３の受信手段としての通信部４４Ａと、生年月日換算データベース１４Ａと、楽曲情報データベース１５Ａと、を備えて構成され、各部が互いにバスにより接続された構成を備えている。
【００８５】
ＣＰＵ４１Ａは外部サーバ４０Ａの各部を中央制御する。ＣＰＵ４１Ａは、ＨＤＤ４２Ａに記憶されているシステムプログラム及び各種アプリケーションプログラムの中から指定されたプログラムをＲＡＭ４３Ａに展開し、ＲＡＭ４３Ａに展開されたプログラムとの協働で、各種処理を実行する。ＣＰＵ４１Ａと、各種プログラムは協働して、指示手段、検索手段、登録手段として機能する。ＨＤＤ４２Ａには、後述するデータテーブル登録プログラム、第１の楽曲情報提供プログラムが記憶されている。
【００８６】
また、ＣＰＵ４１Ａは、上記データテーブル登録プログラムとの協働により、再生装置１０Ａから個人履歴情報としての学生時代の学年数等と、年代情報としての年数（西暦年）等を対応付けるデータテーブルを受信し、データテーブルをＨＤＤ４２Ａへ登録する。
【００８７】
また、ＣＰＵ４１Ａは、上記第１の楽曲情報提供プログラムとの協働により、再生装置１０Ａから学生時代の学年数を受信し、学生時代の学年等に対応する年数（西暦年）等を第１の楽曲情報提供プログラムによって指示し、年数（西暦年）等に対応する楽曲ファイルをＨＤＤ４２Ａに保存された楽曲ファイルの中から検索する。検索された楽曲ファイルは再生装置１０Ａへ送信する。
【００８８】
ＨＤＤ４２Ａは各種データを読み出し及び書き込み可能に記憶する。ＨＤＤ４２Ａは生年月日換算データベース１４Ａ、楽曲情報データベース１５Ａ等が記憶される。
【００８９】
ＲＡＭ４３Ａは、揮発性のメモリであり、実行される各種プログラムやこれら各種プログラムに係るデータ等を一時的に記憶するワークエリアを形成する。
【００９０】
通信部４４Ａは、ネットワークＮに接続された伝送媒体に接続可能なインターフェースである。通信部４４Ａはモデム，ターミナルアダプタなどにより構成されており、電話回
線、ＩＳＤＮ回線、専用線、移動体通信回線、通信衛星回線、ＣＡＴＶ回線などの通信回線を介して外部機器との通信をおこなうための制御をおこなうようになっている。
【００９１】
再生装置１０Ａにおいて、先ず図８に記載のデータテーブル生成処理が実行される。データテーブル生成処理は、操作者の個人履歴情報を含んだデータテーブルを生成し、外部サーバ４０Ａへ送信する処理である。
【００９２】
情報検索システム１００Ａにおいて、データテーブル生成処理において再生装置１０Ａと外部サーバ４０Ａが通信接続されたこと、操作者により入力部１６Ａを介してデータテーブル生成処理の実行指令が入力されたことをトリガとして、ＲＯＭ１８Ａに記憶されたデータテーブル生成プログラムが適宜読み出されてＲＡＭ１９Ａに展開され、ＣＰＵ１１Ａと、展開されたデータテーブル生成プログラムとの協働によりデータテーブル生成処理が実行される。
【００９３】
ステップＳ３１、Ｓ３２、Ｓ３３、Ｓ３４、Ｓ３５、Ｓ３６はそれぞれ、個人情報登録処理Ｓ１１、Ｓ１２、Ｓ１３、Ｓ１４、Ｓ１５、Ｓ１６と同様である。そして、データテーブルが外部サーバ４０Ａに送信される（ステップＳ３７）。データテーブル送信後、データテーブル生成処理は終了する。
【００９４】
次いで外部サーバ４０Ａにおいて、図８に記載のデータテーブル登録処理が実行される。データテーブル登録処理は、操作者の個人履歴情報を含んだデータテーブルを外部サーバ４０Ａへ登録する処理である。
【００９５】
情報検索システム１００Ａにおいて、データテーブル生成処理において再生装置１０Ａと外部サーバ４０Ａが通信接続されたこと、操作者により入力部１６Ａを介してデータテーブル登録処理の実行指令が入力されたことをトリガとして、ＨＤＤ４２Ａに記憶されたデータテーブル登録プログラムが適宜読み出されてＲＡＭ４３Ａに展開され、ＣＰＵ４１Ａと、展開されたデータテーブル登録プログラムとの協働によりデータテーブル登録処理が実行される。
【００９６】
データテーブルは再生装置１０Ａから受信され（ステップＳ３８）、受信されたデータテーブルは生年月日換算データベース１４Ａに保存される（ステップＳ３９）。データテーブル保存後、データテーブル登録処理は終了する。
【００９７】
次いで、図９を参照して、再生装置１０Ａにおいて実行される第１の楽曲情報選択処理を説明する。第１の楽曲情報選択処理は、個人履歴情報としての学生時代の学年数を再生装置１０Ａに設定して、データとしての楽曲データを選択する処理である。
【００９８】
情報検索システム１００Ａにおいて、再生装置１０Ａと外部サーバ４０Ａが通信接続されたこと、操作者により入力部１６Ａを介して第１の楽曲情報選択処理の実行指令が入力されたことをトリガとして、再生装置１０ＡのＲＯＭ１８Ａに記憶された第１の楽曲情報選択プログラムが適宜読み出されてＲＡＭ１９Ａに展開され、ＣＰＵ１１Ａと、展開された第１の楽曲情報選択プログラムとの協働により第１の楽曲情報選択処理が実行される。
【００９９】
ステップＳ４１は、楽曲情報検索処理のステップＳ２１と同様である。ステップＳ４１において操作者により入力されたユーザＩＤ及び学生時代の学年情報が、再生装置１０Ａから外部サーバ４０Ａへ送信される（ステップＳ４２）。そして楽曲名情報が外部サーバ４０Ａから受信される（ステップ４３）。
【０１００】
ステップＳ４４、Ｓ４５、Ｓ４６は、それぞれ、楽曲情報検索処理のステップＳ２３、Ｓ２４、Ｓ２５と同様である。
【０１０１】
そして、ステップＳ４６において選択された所望の楽曲名が、外部サーバ４０Ａへ第４の送信手段より送信される（ステップＳ４７）。そして、楽曲ファイルが外部サーバ４０Ａから受信される（ステップＳ４８）。受信された楽曲ファイルは再生装置１０Ａで再生される。（ステップＳ４９）。楽曲ファイル再生後、第１の楽曲情報選択処理が終了する。
【０１０２】
次いで、図９を参照して、外部サーバ４０Ａにおいて実行される第１の楽曲情報提供処理を説明する。第１の楽曲情報提供処理は、個人履歴情報から楽曲付加情報を検索し、再生装置１０Ａへ楽曲名を提供する処理である。
【０１０３】
情報検索システム１００Ａにおいて、第１の楽曲情報選択処理において再生装置１０Ａと外部サーバ４０Ａが通信接続されたこと、操作者により入力部１６Ａを介して第１の楽曲情報選択処理の実行指令が入力されたことをトリガとして、外部サーバ４０ＡのＨＤＤ４２Ａに記憶された第１の楽曲情報提供プログラムが適宜読み出されてＲＡＭ４３Ａに展開され、ＣＰＵ４１Ａと、展開された第１の楽曲情報提供プログラムとの協働により第１の楽曲情報提供処理が実行される。
【０１０４】
先ず、ステップＳ４２で再生装置１０Ａから送信されたユーザＩＤ及び学生時代の学年情報が、外部サーバ４０Ａで受信される（ステップＳ５０）。ステップＳ５１は楽曲情報検索処理ステップＳ２２と同様である。ステップＳ５１で検索された楽曲名が再生装置１０Ａへ送信される（ステップＳ５２）。そして、ステップＳ４７で再生装置１０Ａから送信された所望の楽曲名が受信される（ステップＳ５３）。受信された所望の楽曲名に対応する楽曲ファイルが選択され、再生装置１０Ａへ送信される（ステップＳ５４）。楽曲ファイル送信後、第１の楽曲情報提供処理が終了する。
【０１０５】
以上、本実施の形態によれば、生年月日換算データベース１４Ａと楽曲情報データベース１５Ａをネットワーク上の外部サーバ４０Ａへ保存するので、再生装置１０Ａの記憶容量を低減できる。
【０１０６】
（第３の実施の形態）
図１０〜図１２を参照して、本発明に係る第３の実施の形態を説明する。図１０に情報検索システム１００Ｂの構成を示す。図１１に外部サーバ４０Ｂの構成を示す。図１２に、第２の楽曲情報選択処理、第２の楽曲情報提供処理の流れを示す。
【０１０７】
本実施の形態は、情報検索システム１００Ｂを用いる。また、第１の実施の形態で実行する楽曲情報検索処理に代えて、第２の楽曲情報選択処理、第２の楽曲情報提供処理を実行するものである。本実施の形態では、第１の実施の形態と異なる部分を主として説明する。
【０１０８】
図１０に示すように、本実施の形態の情報検索システム１００Ｂは、各種コンテンツを再生可能な再生装置１０Ｂと、外部サーバ４０Ｂと、ネットワークＮと、を備えて構成される。再生装置１０Ｂは、再生装置１０の楽曲情報データベース１５を除いたものである。
【０１０９】
情報検索システム１００Ｂは、データとして楽曲（楽曲データ）を検索するものとして説明するが、これに限定されるものではなく、データとして映画、漫画、ＴＶドラマ、ＴＶ・ラジオコマーシャルの画像データ等、としてもよい。
【０１１０】
本実施の形態の再生装置１０Ｂは、外部サーバ４０Ｂから楽曲ファイルを受信し、ＲＡＭ１９Ｂに記録された楽曲ファイルを適宜選択し、再生することにより音声出力する装置である。再生装置１０Ｂは、ＣＰＵ１１Ｂと、Ｉ／Ｆ（インタフェース）１２Ｂと、第１の記憶手段としてのＨＤＤ１３Ｂと、生年月日換算データベース１４Ｂと、入力手段、選択手段としての入力部１６Ｂと、表示手段としての表示部１７Ｂと、ＲＯＭ１８Ｂと、ＲＡＭ１９Ｂと、音声出力部２０Ｂと、ヘッドフォン又はスピーカ部２１Ｂと、第１の送信手段、第１の受信手段としての通信部２２Ｂと、を備えて構成され、ＣＰＵ１１Ｂ以外の各部がＣＰＵ１１Ｂに接続される。各部はそれぞれ、第１の実施の形態と同様の構成である。
【０１１１】
ＣＰＵ１１Ｂは再生装置１０Ｂの各部を中央制御する。ＣＰＵ１１Ｂは、ＲＯＭ１８Ｂに記憶されているシステムプログラム及び各種アプリケーションプログラムの中から指定されたプログラムをＲＡＭ１９Ｂに展開し、ＲＡＭ１９Ｂに展開されたプログラムとの協働で、各種処理を実行する。ＣＰＵ１１Ｂと、各種プログラムは協働して、指示手段、登録手段として機能する。ＲＯＭ１８Ｂには、後述する個人情報登録プログラム、第２の楽曲情報選択プログラムが記憶される。
【０１１２】
また、ＣＰＵ１１Ｂは、上記個人情報登録プログラムとの協働により、個人履歴情報としての学生時代の学年数等と、年代情報としての年数（西暦年）等を対応付けるデータテーブルを作成し、ＨＤＤ１３Ｂに保存する。
【０１１３】
また、ＣＰＵ１１Ｂは、上記第２の楽曲情報選択プログラムとの協働により、個人履歴情報としての学生時代の学年数等と対応する年代情報としての年数（西暦年）等を指示し、指示した西暦年を外部サーバ４０Ｂへ送信する。そして、外部サーバ４０Ｂから学生時代の学年数に対応するデータとしての楽曲名を受信し、受信した楽曲名から任意のデータが入力部１６により選択される。そして、選択されたデータの要求を外部サーバ４０Ａへ送信する。
【０１１４】
外部サーバ４０Ｂは、外部サーバ内にある複数のサーバの１つである。図１１に示すように、外部サーバ４０Ｂは、ＣＰＵ４１Ｂと、第２の記憶手段としてのＨＤＤ４２Ｂと、ＲＡＭ４３Ｂと、第２の送信手段、第２の受信手段、第３の受信手段としての通信部４４Ｂと、楽曲情報データベース１５Ｂと、を備えて構成され、各部が互いにバスにより接続された構成を備えている。各部はそれぞれ第２の実施の形態と同様の構成である。
【０１１５】
ＣＰＵ４１Ｂは外部サーバ４０Ｂの各部を中央制御する。ＣＰＵ４１Ｂは、ＨＤＤ４２Ｂに記憶されているシステムプログラム及び各種アプリケーションプログラムの中から指定されたプログラムをＲＡＭ４３Ｂに展開し、ＲＡＭ４３Ｂに展開されたプログラムとの協働で、各種処理を実行する。ＣＰＵ４１Ｂと、各種プログラムは協働して、登録手段、検索手段として機能する。ＨＤＤ４２Ｂには、後述する第２の楽曲情報提供プログラムが記憶されている。
【０１１６】
また、ＣＰＵ４１Ｂは、上記第２の楽曲情報提供プログラムとの協働により、再生装置１０Ｂから年数（西暦年）等を受信し、西暦年に対応する楽曲ファイルをＨＤＤ４２Ｂに保存された楽曲ファイルの中から検索手段として検索する。検索された楽曲ファイルは再生装置１０Ｂへ送信する。
【０１１７】
先ず、再生装置１０Ｂにおいて、図３に記載の個人情報登録処理が実行される。
【０１１８】
次いで、図１２を参照して、再生装置１０Ｂにおいて実行される第２の楽曲情報選択処理を説明する。第２の楽曲情報選択処理は個人履歴情報を再生装置１０Ｂに設定して所望の楽曲名を選択する処理である。
【０１１９】
情報検索システム１００Ｂにおいて、第２の楽曲情報選択処理において再生装置１０Ｂと外部サーバ４０Ｂが通信接続されたこと、操作者により入力部１６Ｂを介して第２の楽曲情報選択処理の実行指令が入力されたことをトリガとして、再生装置１０ＢのＲＯＭ１８Ｂに記憶された第２の楽曲情報選択プログラムが適宜読み出されてＲＡＭ１９Ｂに展開され、ＣＰＵ１１Ｂと、展開された第２の楽曲情報選択プログラムとの協働により第２の楽曲情報選択処理が実行される。
【０１２０】
ステップＳ６１は、楽曲情報検索処理のステップＳ２１と同様である。ステップＳ６１において、生年月日換算データベース１４Ｂ内の入力ユーザＩＤに対応するデータテーブルに基づいて入力された学生時代の学年数が一致する西暦年が第２の楽曲情報選択プログラムによって指示される（ステップＳ６２）。指示された西暦年は、再生装置１０Ｂから外部サーバ４０Ｂへ送信される（ステップＳ６３）。そして、楽曲名が外部サーバ４０Ｂから受信される（ステップＳ６４）。
【０１２１】
ステップＳ６５、Ｓ６６、Ｓ６７はそれぞれ、楽曲情報検索処理のステップＳ２３、Ｓ２４、Ｓ２５と同様である。
【０１２２】
そして、ステップＳ６７において選択された所望の楽曲名が、外部サーバ４０Ｂへ送信される（ステップＳ６８）。そして、楽曲ファイルが外部サーバ４０Ｂから受信される（ステップＳ６９）。受信された楽曲ファイルは再生装置１０Ｂで再生される。（ステップＳ７０）。楽曲ファイル再生後、第２の楽曲情報選択処理が終了する。
【０１２３】
次いで、図１２を参照して、外部サーバ４０Ｂにおいて実行される第２の楽曲情報提供処理を説明する。第２の楽曲情報提供処理は、個人履歴情報から楽曲付加情報を検索し、再生装置１０Ｂへ楽曲名を提供する処理である。
【０１２４】
情報検索システム１００Ｂにおいて、第２の楽曲情報提供処理において再生装置１０Ｂと外部サーバ４０Ｂが通信接続されたこと、操作者により入力部１６Ｂを介して第２の楽曲情報提供処理の実行指令が入力されたことをトリガとして、外部サーバ４０ＢのＨＤＤ４２Ｂに記憶された第２の楽曲情報提供プログラムが適宜読み出されてＲＡＭ４３Ｂに展開され、ＣＰＵ４１Ｂと、展開された第２の楽曲情報提供プログラムとの協働により第２の楽曲情報提供処理が実行される。
【０１２５】
先ず、ステップＳ６３で再生装置１０Ｂから送信された西暦年情報が受信される（ステップ７１）。そして、楽曲情報データベース１５Ｂに記憶された楽曲付加情報が参照され、受信された西暦年と一致する発表年の楽曲名が検索される（ステップＳ７２）。楽曲名は再生装置１０Ｂへ送信される（ステップＳ７３）。
【０１２６】
そして、ステップＳ６８で再生装置１０Ｂから送信された所望の楽曲名が外部サーバ４０Ｂで受信される（ステップＳ７４）。受信された所望の楽曲名と対応する楽曲ファイルが選択され、再生装置１０Ｂへ送信される（ステップＳ７５）。楽曲ファイル送信後、第２の楽曲情報提供処理が終了する。
【０１２７】
以上、本実施の形態によれば、楽曲情報データベース１５Ｂをネットワーク上の外部サーバ４０Ｂへ保存するので、再生装置１０Ｂの記憶容量を低減できる。
【０１２８】
なお、上記実施の形態における記述は、本発明に係る情報検索装置、情報検索システム、情報検索方法及び情報検索プログラムの一例であり、これに限定されるものではない。
【０１２９】
例えば、楽曲情報検索処理のステップＳ２１において、個人情報の項目として操作者の学生時代の学年をキーとして、対応する西暦年を選択しているが、これに限定されるものではなく、操作者の年齢、年代等の他の項目を用いる構成としてもよい。
【０１３０】
また、楽曲情報検索処理のステップＳ２２において多数の楽曲が検索された場合、その多数の楽曲から絞り込んで検索を行う構成としてもよい。絞り込み検索項目としては、アーティスト名、ジャンル名、レーベル名等の他の項目を用いる構成としてよい。この構成によれば、所望の楽曲検索が容易となる。
【０１３１】
また、個人情報検索処理のステップＳ１７においてデータテーブルを保存した後、データテーブルを修正する構成としてもよい。
【０１３２】
また、外部サーバ４０とＰＣ３０を通信接続する構成としたが、再生装置１０と外部サーバ４０を直接通信接続する構成としてもよい。
【０１３３】
また、ＰＣ３０にＣＤをセットすることにより楽曲の音声データを取得する構成としたが、外部サーバ４０内の楽曲の音声データを取得できる楽曲配信サーバ等から音声データを取得する構成としてもよい。
【０１３４】
また、上記各実施の形態１から３において、再生装置１０は記録媒体の読出し手段を有するＰＣ等の他の装置としてもよい。
【０１３５】
また、上記各実施の形態１から３において、生年月日換算データベース１４には生年月日情報とユーザＩＤのみを記憶し、操作者が学生時代の学年数を入力することによって対応する西暦年を毎回計算する構成としてもよい。
【０１３６】
また、上記各実施の形態においては、ＨＤＤ１３に記憶されている生年月日換算データベース１４、楽曲情報データベース１５とする構成であったが、これに限定されるものではない。例えば、ＣＤ（Compact Disc）、ＣＤ−Ｒ／ＲＷ（Recordable／ReWriteable）、ＭＤ（Mini Disc）、ＤＶＤ（Digital Versatile Disc）、ＤＶＤ−Ｒ／ＲＷ、青色レーザを用いる次世代高密度情報記録媒体、フラッシュメモリを利用したメモリキー、メモリカード等の記録媒体等の記憶手段に記憶された構成としてもよい。但し、楽曲情報データベース１５に記憶される楽曲ファイルは、楽曲の音声データと、楽曲付加情報とが関連付けられているものとする。
【０１３７】
また、記録媒体に記録されるデータは、音声データに限定されるものではなく、動画や、複数の静止画の画像データ等、他の種類のデータとしてもよい。これに合わせて、音声データ、楽曲付加情報をデータベースで登録する構成に限定するものでなく、他の種類のデータ、そのグループの管理情報をデータベースで登録する構成としてもよい。
【０１３８】
その他、上記実施の形態における情報検索装置１０、情報検索システム１００Ａ、１００Ｂの細部構成、および詳細動作に関しても、本発明の趣旨を逸脱しない範囲で適宜変更可能である。
【図面の簡単な説明】
【０１３９】
【図１】本発明に係る第１の実施の形態の情報検索装置１０の構成を示すブロック図である。
【図２】ＰＣ３０の構成を示すブロック図である。
【図３】個人情報登録処理を示すフローチャートである。
【図４】データテーブルを示す図である。
【図５】楽曲情報検索処理を示すフローチャートである。
【図６】情報検索システム１００Ａの構成を示すブロック図である。
【図７】外部サーバ４０Ａの構成を示すブロック図である。
【図８】データテーブル生成処理、データテーブル登録処理を示すフローチャートである。
【図９】第１の楽曲情報選択処理、第１の楽曲情報提供処理を示すフローチャートである。
【図１０】情報検索システム１００Ｂの構成を示すブロック図である。
【図１１】外部サーバ４０Ｂの構成を示すブロック図である。
【図１２】第２の楽曲情報選択処理、第２の楽曲情報提供処理を示すフローチャートである。
【符号の説明】
【０１４０】
１０  再生装置
１１  ＣＰＵ
１２  Ｉ／Ｆ
１３  ＨＤＤ
１４  生年月日換算データベース
１５  楽曲情報データベース
１６  入力部
１７  表示部
１８  ＲＯＭ
１９  ＲＡＭ
２０  音声出力部
２１  ヘッドフォン、スピーカ部
２２  通信部
３０  ＰＣ
３１  ＣＰＵ
３２  Ｉ／Ｆ
３３  ＲＡＭ
３４  表示部
３５  入力部
３６  通信部
３７  ＨＤＤ
３８  ＣＤドライブ
４０  外部サーバ
Ｎ  ネットワーク
１００Ａ  情報検索システム
１０Ａ  再生装置
１１Ａ  ＣＰＵ
１２Ａ  Ｉ／Ｆ
１４Ａ  生年月日換算データベース
１５Ａ  楽曲情報データベース
１６Ａ  入力部
１７Ａ  表示部
１８Ａ  ＲＯＭ
１９Ａ  ＲＡＭ
２０Ａ  音声出力部
２１Ａ  ヘッドフォン、スピーカ部
２２Ａ  通信部
４０Ａ  外部サーバ
４１Ａ  ＣＰＵ
４２Ａ  ＨＤＤ
４３Ａ  ＲＡＭ
４４Ａ  通信部
１００Ｂ  情報検索システム
１０Ｂ  再生装置
１１Ｂ  ＣＰＵ
１２Ｂ  Ｉ／Ｆ
１３Ｂ  ＨＤＤ
１４Ｂ  生年月日換算データベース
１５Ｂ  楽曲情報データベース
１６Ｂ  入力部
１７Ｂ  表示部
１８Ｂ  ＲＯＭ
１９Ｂ  ＲＡＭ
２０Ｂ  音声出力部
２１Ｂ  ヘッドフォン、スピーカ部
２２Ｂ  通信部
４０Ｂ  外部サーバ
４１Ｂ  ＣＰＵ
４２Ｂ  ＨＤＤ
４３Ｂ  ＲＡＭ
４４Ｂ  通信部
【図１】
2007072955.tif 000003
【図２】
2007072955.tif 000004
【図３】
2007072955.tif 000005
【図４】
2007072955.tif 000006
【図５】
2007072955.tif 000007
【図６】
2007072955.tif 000008
【図７】
2007072955.tif 000009
【図８】
2007072955.tif 000010
【図９】
2007072955.tif 000011
【図１０】
2007072955.tif 000012
【図１１】
2007072955.tif 000013
【図１２】
2007072955.tif 000014